(57)【要約】【課題】簡易な構造により強度および安定性を適切に確保することができる折畳み式建屋を提供することを課題とする。【解決手段】隣接する二つの個室空間２Ｌ，２Ｒを有する折畳み式建屋１であって、個室空間２Ｌ，２Ｒを仕切る共通壁体３ａと、共通壁体３ａの対辺の一方に連結された第一壁体３ｂと、共通壁体３ａの対辺の他方に連結された第二壁体３ｂと、を備える。壁体３ｂ、３ｃは、共通壁体３ａに重なり合うように折り畳まれる折畳み状態と、この折畳み状態から展開されて略三角形状の個室空間２Ｌ，２Ｒの少なくとも一部を画成する展開状態と、の間を回動する。個室空間２Ｌの略三角形の一つの頂点側は、棚８や便器９などで固定され、もう一つの頂点側は、隣室の個室空間２Ｒ内に配置された棚８や便器９などで実質的に固定される。【選択図】図２
2006283551.tif 000002
【特許請求の範囲】
【請求項１】
隣接する一の個室空間と他の個室空間とを有する折畳み式建屋であって、
前記一の個室空間と前記他の個室空間との間を仕切る共通壁体と、
前記共通壁体の対辺の一方に連結され、この連結部分を中心に回動可能に構成された第一壁体と、
前記共通壁体の対辺の他方に連結され、この連結部分を中心に回動可能に構成された第二壁体と、を備え、
前記第一壁体は、前記共通壁体に重なり合うように折り畳まれる折畳み状態と、この折畳み状態から展開されて前記一の個室空間の少なくとも一部を画成する展開状態と、の間を回動可能に構成され、
前記第二壁体は、前記共通壁体に重なり合うように折り畳まれる折畳み状態と、この折畳み状態から展開されて前記他の個室空間の少なくとも一部を画成する展開状態と、の間を回動可能に構成された、折畳み式建屋。
【請求項２】
前記第一壁体と前記第二壁体とは、互いに前記共通壁体から反対側に展開され、
前記一の個室空間および前記他の個室空間は、平面視、略三角形状または略多角形状からなる請求項１に記載の折畳み式建屋。
【請求項３】
前記第一壁体と前記共通壁体とにより構成される前記略三角形状または略多角形状の一つの頂点側を固定して、前記第一壁体の展開状態を保持する第一展開保持手段と、
前記第二壁体と前記共通壁体とにより構成される前記略三角形状または略多角形状の一つの頂点側を固定して、前記第二壁体の展開状態を保持する第二展開保持手段と、
を更に備えている請求項２に記載の折畳み式建屋。
【請求項４】
前記第一展開保持手段は、前記一の個室空間の内側から頂点側を固定し、
前記第二展開保持手段は、前記他の個室空間の内側から頂点側を固定する請求項３に記載の折畳み式建屋。
【請求項５】
前記第一展開保持手段は、前記一の個室空間内に設けられた棚または便器である請求項４に記載の折畳み式建屋。
【請求項６】
前記一の個室空間の出入り口部分と前記他の個室空間の出入り口部分とは、当該折畳み式建屋において反対側に位置している請求項１ないし５のいずれか一項に記載の折畳み式建屋。
【請求項７】
前記第二壁体が連結されている前記共通壁体の対辺に回動可能に連結され、前記一の個室空間の出入り口部分を開閉する第一扉体と、
前記第一壁体が連結されている前記共通壁体の対辺に回動可能に連結され、前記他の個室空間の出入り口部分を開閉する第二扉体と、
を更に備えている請求項６に記載の折畳み式建屋。
【請求項８】
前記一の個室空間および前記他の個室空間は、平面視、略台形状からなり、
前記一の個室空間の出入り口部分は、略台形状の上底側または下底側に位置し、
前記他の個室空間の出入り口部分は、略台形状の上底側または下底側に位置している請求項６または７に記載の折畳み式建屋。
【請求項９】
前記一の個室空間および前記他の個室空間は、前記共通壁体が略台形状の斜辺側を構成するように、平面視、略台形状からなっており、
当該折畳み式建屋は、
前記第一壁体に回動可能に連結され、略台形状のもう一方の斜辺側を構成する第一斜辺壁体と、
前記第二壁体に回動可能に連結され、略台形状のもう一方の斜辺側を構成する第二斜辺壁体と、
を更に備えている請求項１に記載の折畳み式建屋。
【請求項１０】
前記第一斜辺壁体は、前記共通壁体に対して直接重なり合うように又は前記第一壁体を挟んで重なり合うように折畳み可能に構成され、
前記第二斜辺壁体は、前記共通壁体に対して直接重なり合うように又は前記第二壁体を挟んで重なり合うように折畳み可能に構成されている請求項９に記載の折畳み式建屋。
【請求項１１】
少なくとも前記第一斜辺壁体および前記共通壁体に接触して、前記第一壁体の展開状態を保持する第一展開保持手段と、
少なくとも前記第二斜辺壁体および前記共通壁体に接触して、前記第二壁体の展開状態を保持する第二展開保持手段と、
を更に備えている請求項９または１０に記載の折畳み式建屋。
【請求項１２】
前記第一展開保持手段は、
少なくとも前記第一斜辺壁体および前記共通壁体の上部および下部の両方に接触して、前記第一壁体の展開状態を上下の二箇所で保持し、
前記第二展開保持手段は、
少なくとも前記第二斜辺壁体および前記共通壁体の上部および下部の両方に接触して、前記第二壁体の展開状態を上下の二箇所で保持する請求項１１に記載の折畳み式建屋。
【請求項１３】
前記第一壁体は、その中間部を折曲げ可能に構成されており、前記折畳み状態で当該中間部を二つ折りにされ且つ前記展開状態で平板状に展開され、
前記第二壁体は、その中間部を折曲げ可能に構成されており、前記折畳み状態で当該中間部を二つ折りにされ且つ前記展開状態で平板状に展開される請求項９ないし１２のいずれか一項に記載の折畳み式建屋。
【請求項１４】
前記第一斜辺壁体と前記共通壁体との間に設けられ、便座孔が穿設された便座部と、
前記第一斜辺壁体および前記共通壁体にそれぞれ取り付けられ、前記便座部の下面を着脱可能に支持する一対の脚部と、
前記一対の脚部に対する前記便座部の上方への移動を規制する上方規制手段と、
前記一対の脚部に対する前記便座部の水平方向への移動を規制する水平規制手段と、
を更に備えている請求項９ないし１３のいずれか一項に記載の折畳み式建屋。
【請求項１５】
前記一の個室空間の出入り口部分を開閉する第一扉体をさらに備え、
前記共通壁体は、前記第二壁体が連結されている対辺に、前記第一扉体を回動可能に連結する第一の連結部を有し、
前記第一扉体は、前記第一の連結部に連結される第二の連結部を有し、
前記第一の連結部及び前記第二の連結部の少なくとも一方は、水平方向に切り込まれた１以上のスリットを有している請求項１ないし６のいずれか一項に記載の折畳み式建屋。
【請求項１６】
前記第二壁体が連結されている前記共通壁体の対辺に回動可能に連結され、前記一の個室空間の出入り口部分を開閉する第一扉体をさらに備え、
前記第一扉体の下端部は、上方に対して凹んだ凹部を有している請求項１ないし６のいずれか一項に記載の折畳み式建屋。
【請求項１７】
前記第一扉体の下端部は、前記凹部を挟むように両端部を有し、且つ、この両端部の下端面は、地面とのクリアランスが異なる請求項１６に記載の折畳み式建屋。
【発明の詳細な説明】
【技術分野】
【０００１】
本発明は、隣接する一の個室空間と他の個室空間とを有する折畳み式建屋に関するものである。
【背景技術】
【０００２】
被災地、海水浴場、建設現場、および野外の催物会場等では、一定の期間だけ使用するための臨時設備として、仮設の建屋が設置されることがある。この種の仮設の建屋としては、トイレ、更衣室、シャワー室、および倉庫が挙げられる。組立て式のトイレに適用した折畳み式建屋として、複数の個室空間を互いに隣接して構成したものが知られている（例えば、特許文献１参照。）。この折畳み式建屋は、一辺側が互いに連結された複数の平板状の壁体を備えている。複数の壁体は、互いに重なり合った折畳み状態から、連結された一辺側を中心として放射状に展開されることで、一対の壁体間に平面視略三角形状の個室空間を画成する。
【特許文献１】実用新案登録第３０９７８８７号（第２頁および第１図）
【発明の開示】
【発明が解決しようとする課題】
【０００３】
このような従来の折畳み式建屋は、組立てが容易で、しかも複数の個室空間を同時に組み立てることができる点では有用である。しかし、複数の個室空間が画成された組立て完了状態では、複数の壁体の全てがその一辺側を中心として放射状に展開されているため、この中心部分（連結部分）に負荷が集中し、構造上の強度が不足し易かった。また、放射状に展開される従来の折畳み式建屋は、風などの衝撃により構造物全体が揺れ易く、特に個室空間の数が少なくなるにつれて、安定性に欠ける問題があった。
【０００４】
本発明は、簡易な構造により強度および安定性を適切に確保することができる折畳み式建屋を提供することをその目的としている。
【課題を解決するための手段】
【０００５】
本発明の折畳み式建屋は、隣接する一の個室空間と他の個室空間とを有する折畳み式建屋であって、一の個室空間と他の個室空間との間を仕切る共通壁体と、共通壁体の対辺の一方に連結され、この連結部分を中心に回動可能に構成された第一壁体と、共通壁体の対辺の他方に連結され、この連結部分を中心に回動可能に構成された第二壁体と、を備え、第一壁体は、共通壁体に重なり合うように折り畳まれる折畳み状態と、この折畳み状態から展開されて一の個室空間の少なくとも一部を画成する展開状態と、の間を回動可能に構成され、第二壁体は、共通壁体に重なり合うように折り畳まれる折畳み状態と、この折畳み状態から展開されて他の個室空間の少なくとも一部を画成する展開状態と、の間を回動可能に構成されたものである。
【０００６】
この構成によれば、第一壁体が共通壁体の対辺の一方を中心として展開され、第二壁体が共通壁体の対辺のもう一方を中心として展開されて、二つの隣接する個室空間が共通壁体を挟んで画成される。すなわち、従来のように共通壁体の一辺側のみを中心として複数の壁体を放射状に展開するのではなく、共通壁体の各辺側を中心として第一・第二壁体をそれぞれ展開する。これにより、この中心部分（連結部分）への負荷の集中を従来に比べて少なくすることができ、構造上の強度を適切に確保し得る。また、例えば個室空間の数が少ない場合であっても、展開状態での安定性（自立安定性）を適切に確保し得る。
【０００７】
この場合、第一壁体と第二壁体とは、互いに共通壁体から反対側に展開され、一の個室空間および他の個室空間は、平面視、略三角形状または略多角形状からなることが、好ましい。
【０００８】
この構成によれば、例えば三角形状の個室空間とした場合、その三角形の二辺が共通壁体と第一壁体（または第二壁体）とにより構成される。このため、三角形以外の多角形の個室空間とする場合に比べて、折畳み式建屋全体の重量が小さくなり、組立てや運搬等がし易くなる。ここで、略多角形には、三角形、四角形（方形）、台形、五角形、六角形が含まれ、さらに凸多角形のほか、凹多角形も含まれる。
【０００９】
この場合、第一壁体と共通壁体とにより構成される略三角形状または略多角形状の一つの頂点側を固定して、第一壁体の展開状態を保持する第一展開保持手段と、第二壁体と共通壁体とにより構成される略三角形状または略多角形状の一つの頂点側を固定して、第二壁体の展開状態を保持する第二展開保持手段と、を更に備えていることが、好ましい。
【００１０】
この構成によれば、例えば個室空間を三角形状とした場合、その一頂点側は、第一展開保持手段により固定され、もう一つの頂点側は、隣の個室空間の第二展開保持手段により実質的に固定される。これにより、一の個室空間の二頂点側が実質的に固定されるため、個室空間としての展開状態をより強固に保持することができ、安定性を高めることができる。
【００１１】
この場合、第一展開保持手段は、一の個室空間の内側から頂点側を固定し、第二展開保持手段は、他の個室空間の内側から頂点側を固定することが、好ましい。
【００１２】
この場合、第一展開保持手段は、一の個室空間内に設けられた棚または便器であることが、好ましい。
【００１３】
この構成によれば、個室空間をトイレとして構成しつつ、その要素となる便器を第一展開保持手段に有効に利用することができる。同様に、個室空間内に設けた棚を有効に利用して、第一展開保持手段を有効に利用することができる。なお、第二展開保持手段も同様に棚または便器であることが好ましい。
【００１４】
これらの場合、一の個室空間の出入り口部分と他の個室空間の出入り口部分とは、折畳み式建屋において反対側に位置していることが、好ましい。
【００１５】
この構成によれば、一の個室空間の利用者と他の個室空間の利用者とが、その出入りする際に、顔を会わす可能性を小さくし得る。これにより、折畳み式建屋の利用者の気まずさや羞恥心を低減することができ、利用者の利便性を向上し得る。
【００１６】
この場合、第二壁体が連結されている共通壁体の対辺に回動可能に連結され、一の個室空間の出入り口部分を開閉する第一扉体と、第一壁体が連結されている共通壁体の対辺に回動可能に連結され、他の個室空間の出入り口部分を開閉する第二扉体と、を更に備えていることが、好ましい。
【００１７】
これらの場合、一の個室空間および他の個室空間は、平面視、略台形状からなり、一の個室空間の出入り口部分は、略台形状の上底側または下底側に位置し、他の個室空間の出入り口部分は、略台形状の上底側または下底側に位置していることが、好ましい。
【００１８】
この構成によれば、三角形状の個室空間に比べて、個室空間のデッドスペースを少なくすることができる。また、三角形状の個室空間や方形状の個室空間に比べて、設置時の安定性を確保し易い。なお好ましくは、台形状の上底側よりも長さの長い下底側に、個室空間の出入り口部分を位置させるとよい。こうすることで、例えば利用者が介添人を必要とする場合に、利用者および介添人が個室空間に出入りし易くなる。
【００１９】
上記した本発明の折畳み式建屋では、一の個室空間および他の個室空間は、共通壁体が略台形状の斜辺側を構成するように、平面視、略台形状からなっており、折畳み式建屋は、第一壁体に回動可能に連結され、略台形状のもう一方の斜辺側を構成する第一斜辺壁体と、第二壁体に回動可能に連結され、略台形状のもう一方の斜辺側を構成する第二斜辺壁体と、を更に備えていてもよい。
【００２０】
この構成によれば、略台形状の一の個室空間の三辺は、共通壁体、第一斜辺壁体、およびこれらを略台形の上底側または下底側で連結する第一壁体からなる。同様に、略台形状の他の個室空間の三辺は、共通壁体、第二斜辺壁体、およびこれらを略台形の上底側または下底側で連結する第二壁体からなる。
【００２１】
この場合、第一斜辺壁体は、共通壁体に対して直接重なり合うように又は第一壁体を挟んで重なり合うように折畳み可能に構成され、第二斜辺壁体は、共通壁体に対して直接重なり合うように又は第二壁体を挟んで重なり合うように折畳み可能に構成されていることが、好ましい。
【００２２】
これらの場合、少なくとも第一斜辺壁体および共通壁体に接触して、第一壁体の展開状態を保持する第一展開保持手段と、少なくとも第二斜辺壁体および共通壁体に接触して、第二壁体の展開状態を保持する第二展開保持手段と、を更に備えていることが、好ましい。
【００２３】
この構成によれば、第一・第二展開保持手段が設けられているため、略台形状となる個室空間としての展開状態をより強固に且つ安定して保持することができる。
【００２４】
この場合、第一展開保持手段は、少なくとも第一斜辺壁体および共通壁体の上部および下部の両方に接触して、第一壁体の展開状態を上下の二箇所で保持し、第二展開保持手段は、少なくとも第二斜辺壁体および共通壁体の上部および下部の両方に接触して、第二壁体の展開状態を上下の二箇所で保持することが、好ましい。
【００２５】
この構成によれば、個室空間の展開状態をより一層、強固に且つ安定して保持することができる。例えば折畳み式建屋をトイレに適用した場合には、上部の棚まわりの構造を利用して、第一斜辺壁体および共通壁体の上部に接触し、下部の便座まわりの構造を利用して、第一斜辺壁体および共通壁体の下部に接触すればよい。
【００２６】
これらの場合、第一壁体は、その中間部を折曲げ可能に構成されており、折畳み状態で当該中間部を二つ折りにされ且つ展開状態で平板状に展開され、第二壁体は、その中間部を折曲げ可能に構成されており、折畳み状態で当該中間部を二つ折りにされ且つ展開状態で平板状に展開されることが、好ましい。
【００２７】
この構成によれば、折畳み状態としたときに、折畳み式建屋の横または縦のサイズを小さくすることができる。これにより、折畳み式建屋の保管や運搬などの点で有用となる。
【００２８】
これらの場合、第一斜辺壁体と共通壁体との間に設けられ、便座孔が穿設された便座部と、第一斜辺壁体および共通壁体にそれぞれ取り付けられ、便座部の下面を着脱可能に支持する一対の脚部と、一対の脚部に対する便座部の上方への移動を規制する上方規制手段と、一対の脚部に対する便座部の水平方向への移動を規制する水平規制手段と、を更に備えていることが、好ましい。
【００２９】
この構成によれば、一の個室空間を仮設トイレの空間として利用することが可能となる。水平規制手段により、利用者は便座部に安定して着座することができる。また、上方規制手段により、利用者が便座部に座った際に、便座部が一対の脚部に対し上下方向に傾くように位置ずれすることを抑制できると共に、利用者が便座部から立ち上がる際に、体の一部が便座部に引っ掛って便座部が一対の脚部から上方に外れることを抑制できる。なお、第二斜辺壁体および共通壁体にも、第一斜辺壁体および共通壁体に設けた同様のトイレ構成を設けることが好ましい。
【００３０】
本発明の一態様では、折畳み式建屋は一の個室空間の出入り口部分を開閉する第一扉体をさらに備え、共通壁体は、第二壁体が連結されている対辺に、第一扉体を回動可能に連結する第一の連結部を有し、第一扉体は、第一の連結部に連結される第二の連結部を有し、第一の連結部及び第二の連結部の少なくとも一方は、水平方向に切り込まれた１以上のスリットを有していることが、好ましい。
【００３１】
第一の連結部と第二の連結部とを例えば接着等により連結すると、共通壁体と第一扉体との連結にゆがみが生じ、そのために第一扉体の開閉を円滑に行い難くなる。しかし、上記構成のように、第一の連結部及び第二の連結部の少なくとも一方はスリットを有しているため、このスリットによって、ゆがみを生じさせる力を逃がすことができる。これにより、共通壁体と第一扉体との連結を確保しつつ、第一扉体の開閉を円滑に行うことができるようになる。
【００３２】
また、本発明の別の態様では、折畳み式建屋は、第二壁体が連結されている共通壁体の対辺に回動可能に連結され、一の個室空間の出入り口部分を開閉する第一扉体をさらに備え、第一扉体の下端部は、上方に対して凹んだ凹部を有していることが、好ましい。
【００３３】
この構成によれば、第一扉体が凹部を有しているので、第一扉体の下端部が平坦である場合に比べて、第一扉体の開閉を円滑に行い得る。また、凹部を通気口としても機能させることができる。
【００３４】
この場合、第一扉体の下端部は、凹部を挟むように両端部を有し、且つ、この両端部の下端面は、地面とのクリアランスが異なることが、好ましい。
【００３５】
この構成によれば、第一扉体の開閉をより一層円滑に行い得る。
【発明の効果】
【００３６】
本発明の折畳み式建屋によれば、簡易な構造で強度および安定性を適切に確保することが可能となる。
【発明を実施するための最良の形態】
【００３７】
以下、添付図面を参照して、本発明の好適な実施形態に係る折畳み式建屋について説明する。この折畳み式建屋の個室空間（部屋）は、更衣室やシャワー室など各種の用途に使用され得るものであるが、以下では、トイレに適用した例について説明する。第１実施形態では、個室空間を平面視三角形状とした例について説明し、第２実施形態では、個室空間を平面視台形状とした例について説明する。
【００３８】
＜第１実施形態＞
図１および図２は、折畳み式建屋１の展開状態を示す斜視図であり、図３は、折畳み式建屋１の折畳み状態を示す斜視図である。図４は、図２の平面図である。
【００３９】
折畳み式建屋１は、図１及び図２に示すように展開されて、隣接する二つの個室空間２Ｌ，２Ｒを形成する状態（以下、展開状態という。）にすることができる。また、折畳み式建屋１は、図３に示すように三枚の壁体３ａ，３ｂ，３ｃが重なり合って、隣り合う壁体の間に前面壁体４、扉体５、展開保持板６、および屋根体７が折り畳まれて収納される状態（以下、折畳み状態という。）にすることができる。なお、図１の左側の個室空間２Ｌのみ屋根体７を示し、図１の右側の個室空間２Ｒおよび図２の左右の個室空間２Ｌ，２Ｒでは、屋根体７を省略している。
【００４０】
個室空間（２Ｌ，２Ｒ）の数としては、特に限定されるものではないが、本実施形態においては二室のものを例示している。すなわち、折畳み式建屋１は、三以上の個室空間を隣接して有するものであってもよい。本実施形態では、個室空間２Ｌ，２Ｒを簡易トイレに適用しているので、各個室空間２Ｌ，２Ｒの奥側には、折畳み式の棚８と折畳み式の便器９とが設けられている。後述するように、棚８および便器９は、展開保持手段の一つとして機能する。
【００４１】
本実施形態では、二つの個室空間２Ｌ，２Ｒを画成する構造は全く同じであり、且つ二つの個室空間２Ｌ，２Ｒの中に設置される構造も全く同じである。したがって、二つの個室空間２Ｌ，２Ｒ（折畳み式建屋１）は、中央の壁体３ａの中心部で点対称となる構成となっている。もっとも、個室空間２Ｌと個室空間２Ｒとを異なる内部構造としてもよい。各個室空間２Ｌ，２Ｒは、平面視（上方から見ると）、略三角形状からなる空間であり、上方を屋根体７で覆われている。
【００４２】
屋根体７は、個室空間２Ｌ（または２Ｒ）の略三角形状に対応して、平面視、略三角形状からなる。屋根体７の略三角形状の二辺は、隣り合う二つの壁体（３ａと３ｂ、または３ａと３ｃ）の上部に接着剤等により取り付けられ、残りの一辺側には、前面壁体４および展開保持板６の上部外側に垂下する折曲げ部２１が延出されている。折曲げ部２１の裏面に設けた貼着手段２２により、折曲げ部２１と展開保持板６とは密着している。
【００４３】
屋根体７と二つの壁体（３ａと３ｂ、または３ａと３ｃ）との間は、接着剤等によりシールされている。また、屋根体７は、中央の壁体３ａから外側の壁体３ｂ（または３ｃ）にかけて水が流れるように且つ奥側から手前側に水が流れるように、所定の排水勾配（水切り）を有している。
【００４４】
個室空間２Ｌ（または２Ｒ）の略三角形状の二辺は、隣り合う二つの壁体３ａと３ｂ（または３ａと３ｃ）により構成され、残りの一辺側には、前面壁体４および扉体５が位置している。三角形状の頂点の角度は任意であるが、個室空間２Ｌ，２Ｒの三角形状は、好ましくは二等辺三角形であり、より好ましくは正三角形である。本実施形態では、正三角形で構成されている。そして、折畳み式建屋１は、平面視、全体として平行四辺形の輪郭を有している（図４参照）。
【００４５】
個室空間２Ｌ（または２Ｒ）の一辺側（前面側）の左半部は、前面壁体４によって覆われている。個室空間２Ｌ（または２Ｒ）の前面側の右半部は、個室空間２Ｌ（または２Ｒ）の出入り口部分２５Ｌ（または２５Ｒ）となっており、この出入り口部分２５Ｌ（または２５Ｒ）は、扉体５によって適宜開閉される。扉体５を手前に回動させて出入り口部分２５Ｌ（または２５Ｒ）を開放することで、利用者は個室空間２Ｌ（または２Ｒ）に出入りすることが可能となる。
【００４６】
ここで、壁体３ａ，３ｂ，３ｃ、前面壁体４、扉体５、展開保持板６のほか、後述する板状の各種部材は、焼却処理や再生処理が可能な素材で構成されている。特に、この素材は、燃焼時に毒性の強い有機塩素化合物を発生させない合成樹脂を原料とするもので構成され、例えばＰＰＴやポリプロピレンを原料としている。本実施形態の壁体３ａ，３ｂ，３ｃ、前面壁体４、扉体５および展開保持板６は、この種のプラスチック製の中空構造板で構成され、剛性および耐久性を有しつつ、軽量に構成されている。中空構造体としては、いわゆるダンプラ（プラスチック段ボール）を適用することができる。
【００４７】
ダンプラからなる中空構造体は、主として二枚の板材の間に複数の縦板を一方向に有した構成からなる。この中空構造体は、例えば縦板の延在方向（中空の目）に沿って一方の板材のみを切り込むとヒンジとして機能する。すなわち、半切りされた中空構造体は、その切込み線を境として折畳み及び展開可能となる。なお、切込み方向を代えて、中空の目に対して直角に半切りしても、中空構造体はヒンジ機能を具備するが、前者の構成に比べて耐久性や復元力などが低下する。
【００４８】
折畳み式建屋１は、この中空構造体のヒンジ機能を有効に活用して構成されている。そして、三枚の壁体３ａ，３ｂ，３ｃや、これらに折畳み可能に設けられている全ての部材は、同じ厚さの同素材で構成されている。このため、折畳み状態の時に各部が凹凸なく重なり合い、全体として平板状に折り畳むことが可能となっている（図３参照）。
【００４９】
三枚の壁体３ａ，３ｂ，３ｃは、いずれも長方形の板材で構成され、隣り合う二つの壁体３ａと３ｂ（または３ａと３ｃ）の間に個室空間２Ｌ（または２Ｒ）が画成される。中央に位置する壁体３ａは、隣接する一の個室空間２Ｌと他の個室空間２Ｒとの間を仕切り、左右両方の個室空間２Ｌ，２Ｒを画成する共通壁体として機能する。
【００５０】
共通壁体３ａの対辺の一方（奥側の一側面）には、左側の壁体３ｂの対辺の一方が連結されている。また、共通壁体３ａの対辺の他方（手前側の他側面）には、右側の壁体３ｃの対辺の一方が連結されている。以下の説明では、本発明の第一壁体となる左側の壁体３ｂを「左壁体３ｂ」と称し、第二壁体となる右側の壁体３ｃを「右壁体３ｃ」と称して説明する。
【００５１】
このような三枚の壁体３ａ，３ｂ，３ｃの連結態様によって、一の個室空間２Ｌの出入り口部分２５Ｌと他の個室空間２Ｒの出入り口部分２５Ｒとは、折畳み式建屋１において反対側に位置している。すなわち、二つの出入り口部分２５Ｌ，２５Ｒは共通壁体３ａを挟んで対向している。
【００５２】
このため、一の個室空間２Ｌの利用者と他の個室空間２Ｒの利用者とが、各々の出入り口部分２５Ｌ，２５Ｒから出入りする際に、顔を会わす可能性が小さくなるようになっている。これにより、各個室空間２Ｌ，２Ｒに入ってトイレを使用する利用者の気まずさや羞恥心を低減して、利用者の利便性を向上している。
【００５３】
上述のように、二つの個室空間２Ｌ，２Ｒの構造等は点対称であるため、ここでは、主として左側の個室空間２Ｌを画成する左壁体３ｂおよび共通壁体３ａを中心に説明する。
【００５４】
図５（ａ）は、左側の個室空間２Ｌを画成する左壁体３ｂの正面図であり、図５（ｂ）は、左側の個室空間２Ｌを画成する共通壁体３ａの正面図である。なお、図５では、左壁体３ｂおよび共通壁体３ａにおける各種構成要素が折り畳まれている状態を示している。また、図５では、屋根体７を省略している。
【００５５】
図４および図５（ａ）に示すように、左壁体３ｂには、壁連結体３０の左半部と、前面壁体４と、後述する棚板３２を支持する棚板支持部３４の左半部と、後述する便座３６を支持する左脚部４０と、便座３６の上方への抜止めを規制する左抜止め部４２と、補助板４４を保持するための保持部４６と、が設けられている。
図４および図５（ｂ）に示すように、共通壁体３ａには、壁連結体３０の右半部と、扉体５と、展開保持板６と、棚板３２を支持する棚板支持部３４の右半部と、便座３６を支持する右脚部５０と、便座３６の上方への抜止めを規制する右抜止め部５２と、が設けられている。
【００５６】
壁連結体３０は、共通壁体３ａと左壁体３ｂとを回動可能に連結する蝶番として機能する部材であり、共通壁体３ａおよび左壁体３ｂを上下方向に亘って連結している。壁連結体３０は、例えば上記のダンプラからなる中空構造体を半切りして構成され、半切りされた右半部を共通壁体３ａの対辺の一方の近傍に接着または溶着され、半切りされた左半部を左壁体３ｂの対辺の一方の近傍に接着または溶着されている。
【００５７】
壁連結体３０の構成により、左壁体３ｂは、壁連結体３０を中心に共通壁体３ａに対し約６０度の回動角度で回動する。すなわち、左壁体３ｂは、共通壁体３ａに重なり合うように折り畳まれる折畳み状態と、この折畳み状態から展開されて共通壁体３ａから離間して、共通壁体３ａに対し約６０度の角度をなす展開状態と、の間を回動する。なお、壁連結体３０については、図８では、省略している。
【００５８】
前面壁体４は、左壁体３ｂの一辺側（手前側の対辺）に折畳みおよび展開可能に連結されている。前面壁体４は、折畳み状態では左壁体３ｂの内面に重なり合う。一方、展開状態の前面壁体４は、左壁体３ｂに対し約６０度の角度で個室空間２Ｌの左半部を前面側から覆い、左壁体３ｂの展開状態を補強する。
【００５９】
前面壁体４の上部には、前面壁体４を展開保持板６に連結させるための一対の連結孔６１，６１が穿設されている。前面壁体４の下端部には、フランジ部６２が折畳み可能に設けられている。また、前面壁体４の上下中間部には、補助板４４を保持するための保持部６３が設けられている。
【００６０】
フランジ部６２は、展開状態においては前面壁体４に対して略垂直方向（手前側の方向）へと展開されて地面に着座し、折畳み状態においては前面壁体４の表面側（個室空間２Ｌの外側の面）に重なり合うように折り畳まれる。なお、展開状態において、フランジ部６２の上面に土嚢などの錘を載せたり、あるいはフランジ部６２に杭を打ち込んだりして、左壁体３ｂおよび共通壁体３ａの展開状態を安定させるとよい。
【００６１】
扉体５は、共通壁体３ａの一辺側に（手前側の対辺）に折畳みおよび展開可能に連結されている。この共通壁体３ａの一辺側は、一方の面に扉体５およびその上側の展開保持板６が連結され、他方の面に壁連結体３０を介して右壁体３ｃが連結されている。扉体５は、折畳み状態で共通壁体３ａの内面に重なり合う。一方、展開状態の扉体５は、出入り口部分２５Ｌを開閉可能に構成され、手前側に回動させると出入り口部分２５Ｌを開放し、奥側に回動させると出入り口部分２５Ｌを閉塞する。
【００６２】
扉体５の縦方向の大きさは、折畳み状態で展開保持板６およびフランジ部６２と重なり合わない程度の大きさで構成されている。なお、扉体５の下端部には、フランジ部６２用に確保した地面との間隙を隠すように、目隠し用のカーテン７１が取り付けられている（図１及び図２参照）。
【００６３】
扉体５の横方向の大きさは、折畳み状態で右脚部５０と重なり合わない程度の大きさで構成され、且つ展開状態で前面壁体４の前面側の一部に重なり合う程度の大きさで構成されている。展開状態において、扉体５が前面壁体４と重なり合う部分の近傍には、扉体５を前面壁体４に対しロックさせるロック機構７２が設けられている。なお、図１及び図２では、ロック機構７２を省略している。
【００６４】
図６は、ロック機構７２の一例を示す斜視図である。
ロック機構７２は、図６に示すように、扉体５の内側に取り付けられたロック片８１および表示体８２で構成される。ここで、扉体５の内側とは、個室空間２Ｌの内部側をいう。
【００６５】
板状のロック片８１は、扉体５と前面壁体４との間に差し渡されるように配置され、表示体８２の下部に９０度の回動角度で回動するように支持されている。表示体８２は、前面壁体４と同じ厚みを有する板状の部材であり、下端部が円弧状に形成されている。表示体８２の上部は、扉体５に穿設した表示穴８４に臨む部分に、赤色などで着色されている。
【００６６】
図６に示す位置にロック片８１が回動すると、ロック片８１によって扉体５の開放動作が規制され、扉体５を前面壁体４に対しロック状態にし得る。この状態では、個室空間２Ｌの外側にいる人は、表示穴８４を介して表示体８２の赤色部分を見ることができ、個室空間２Ｌの使用中であることが確認できる。一方、ロック片８１を矢印の方向に回動させると、このロック状態が解除されて、扉体５の開放が許容される。
【００６７】
展開保持板６は、図２および図５（ｂ）に示すように、扉体５と同じ厚みからなる一方、扉体５よりも横方向に長い寸法で形成されている。展開保持板６の先端側には、前面壁体４の一対の連結孔６１，６１に対応して一対の固定孔９１，９１が穿設されている。
【００６８】
展開保持板６は、折畳み状態において、扉体５の上側に沿うようにして共通壁体３ａの内面に重なり合う。一方、展開状態において、展開保持板６の先端側は、一対の連結孔６１，６１および一対の固定孔９１，９１を介して、蝶ボルトおよび蝶ナットからなる連結手段９２，９２により前面壁体４の前面側に固定されている。展開保持板６によって、左壁体３ｂおよび共通壁体３ａの展開状態を出入り口部分２５Ｌ側で保持することができる。
【００６９】
図７は、棚８の構成を示す説明図である。
棚８は、展開状態において設置される棚板３２と、この棚板３２を着脱可能に支持する棚板支持部３４と、で構成されている。
【００７０】
棚板支持部３４は、右端部１０１が共通壁体３ａに折畳み可能に取り付けられ、左端部１０２が左壁体３ｂに折畳み可能に取り付けられている。折畳み状態においては、棚板支持部３４は、その左右の中間部１０３を中心として奥側に二つ折りになることで、共通壁体３ａと左壁体３ｂとの間に挟みこまれる。一方、展開状態においては、棚板支持部３４は、共通壁体３ａと左壁体３ｂとの間に梁状に展開されることで、棚板３２を支持可能となる。
【００７１】
棚板３２は、略台形状の板材からなる。棚板３２は、共通壁体３ａおよび左壁体３ｂにそれぞれ接触する二つの接触辺１１１，１１１と、略台形の下底側の左右中間部に形成された凹部１１２と、を有している。凹部１１２は、棚板支持部３４の左右中間の上端から上方に突出された凸部１０４に係脱可能に構成されている。
【００７２】
棚８を組み立てる場合、展開状態において、棚板支持部３４、共通壁体３ａおよび左壁体３ｂにより構成される奥側の三角地帯に棚板３２を上側から挿入し、棚板３２の凹部１１２と棚板支持部３４の凸部１０４とを係合させる。
【００７３】
この係合状態とすることで、棚板３２は、凹部１１２の左右両側の下面が棚板支持部３４の上端面に支持され、二つの接触辺１１１，１１１が共通壁体３ａおよび左壁体３ｂにそれぞれ接触される。これにより、棚板３２は、水平方向の移動および下方への抜けを規制され、荷物を安定して載置することが可能となる。
【００７４】
また、組み立てられた棚８は、左壁体３ｂおよび共通壁体３ａの展開状態を個室空間２Ｌの奥側で且つ個室空間２Ｌの上側で保持することが可能となる。すなわち、本実施形態の棚８は、左壁体３ｂおよび共通壁体３ａの両方に全体として係合して、これらの展開状態を個室空間２Ｌの奥側且つ上側で保持する展開保持手段として機能する。
【００７５】
図８は、便器９の構成を示す説明図である。
便器９は、便座孔１２０が中央部に穿設された便座３６と、便座３６の下面を着脱可能に支持する左脚部４０および右脚部５０と、左脚部４０および右脚部５０に対する便座３６の上方への移動を規制する左抜止め部４２および右抜止め部５２と、左脚部４０および右脚部５０に亘って梁状に架け渡される開脚保持体１２２と、便座３６の上面から一部が露出して取り付けられ、便座３６と開脚保持体１２２との間に主要部が位置する排泄物処理袋１２４と、を有している。便器９は、左右対称の構造となっている。また、便座３６、開脚保持体１２２および排泄物処理袋１２４は、展開状態において設置される。
【００７６】
便座３６は、略台形状の板材からなり、略台形の下底側が扇形に湾曲して形成されている。便座３６は、略台形の斜辺側となる部分に、共通壁体３ａおよび左壁体３ｂにそれぞれ接触する二つの接触辺１３１，１３１を有している。また、便座３６の下面には、便座孔１２０の左右外側に一対のスライド溝１３２，１３２が形成されている。一対のスライド溝１３２，１３２は、便座３６の略台形の上底側から便座３６の中央付近にまで、便座３６の下面を一直線状に切り込むことで略平行に且つ溝幅を漸次縮小して形成されている。
【００７７】
左脚部４０は、左側面側を左壁体３ｂの下部に対して折畳み可能に取り付けられ、展開状態において右側面側を左壁体３ｂの内面に当接可能に構成されている。左脚部４０の左右中央部には、切り込みによって形成された折返し部１４０が設けられており、折返し部１４０を中心に略「Ｌ」字状に折り曲げることが可能となっている。
【００７８】
左脚部４０は、折返し部１４０の右側に（奥側に）、開脚保持体１２２を挿入可能な挿入孔１４１が穿設されている。また、折返し部１４０の右側に位置する左脚部４０の上端部１４２は、その左側に位置する上端部１４３に比べて上方に突出しており、この突出した上端部１４２がスライド溝１３２に係脱可能に構成されている。
【００７９】
右脚部５０は、右側面側を共通壁体３ａの下部に対して折畳み可能に取り付けられ、展開状態において左側面側を共通壁体３ａの内面に当接可能に構成されている。右脚部５０の左右中央部には、切り込みによって形成された折返し部１５０が設けられており、折返し部１５０を中心に略「Ｌ」字状に折り曲げることが可能となっている。
【００８０】
右脚部５０は、折返し部１５０の左側に（奥側に）、開脚保持体１２２を挿入可能な挿入孔１５１が穿設されている。また、折返し部１５０の左側に位置する右脚部５０の上端部１５２は、その右側に位置する上端部１５３に比べて上方に延在しており、この突出した上端部１５２がスライド溝１３２に係脱可能に構成されている。
【００８１】
左抜止め部４２は、左脚部４０と同じ厚みを有する略長方形状の板材からなる。左抜止め部４２は、左壁体３ｂの下部に接着または溶着され、便座３６の厚みだけ左脚部４０の上側に位置している。左抜止め部４２の手前側の先端は、大きく面取りされており、その先端の下部には、内側に折り曲げ可能な（回動可能な）ストッパ１６０が設けられている。
【００８２】
ストッパ１６０は、左壁体３ｂに対し９０度以上折り曲げられた状態では、左抜止め部４２と左脚部４０との間に便座３６を挿入することを許容する。一方、ストッパ１６０は、左壁体３ｂに沿うように左抜止め部４２の先端から垂下された状態では、左抜止め部４２と左脚部４０との間に挿入した便座３６の手前側への移動を規制する。すなわち、ストッパ１６０は、本発明の水平規制手段の一つとして機能する。またこの状態では、左抜止め部４２の下面は、便座３６の左側の接触辺１３１の上面に辺方向に亘って接触して、便座３６の上方への移動を規制する。
【００８３】
右抜止め部５２は、右脚部５０と同じ厚みを有する略長方形状の板材からなる。右抜止め部５２は、右壁体３ｃの下部に接着または溶着され、便座３６の厚みだけ右脚部５０の上側に位置している。右抜止め部５２の手前側の先端は、大きく面取りされており、その先端の下部には、内側に折り曲げ可能な（回動可能な）ストッパ１６１が設けられている。
【００８４】
ストッパ１６１は、右壁体３ｃに対し９０度以上折り曲げられた状態では、右抜止め部５２と右脚部５０との間に便座３６を挿入することを許容する。一方、ストッパ１６１は、右壁体３ｃに沿うように右抜止め部５２の先端から垂下された状態では、右抜止め部５２と右脚部５０との間に挿入した便座３６の手前側への移動を規制する。すなわち、ストッパ１６１は、本発明の水平規制手段の一つとして機能する。またこの状態では、右抜止め部５２の下面は、便座３６の右側の接触辺１３１の上面に辺方向に亘って接触して、便座３６の上方への移動を規制する。
【００８５】
開脚保持体１２２は、略台形の板材からなる。開脚保持体１２２は、略台形の斜辺となる部分に、共通壁体３ａおよび左壁体３ｂにそれぞれ接触する二つの接触辺１６３，１６３を有している。また、開脚保持体１２２の略台形の上底側には、左右に離間した一対の係合溝１６４，１６４が形成されている。
【００８６】
一対の係合溝１６４，１６４は、左右の脚部４０，５０の挿入孔１４１，１５１に係脱可能に構成されている。各係合溝１６４，１６４が各挿入孔１４１，１５１に係合した状態で、開脚保持体１２２は、左脚部４０および右脚部５０の開脚状態を保持し、且つ上面に排泄物処理袋１２４を安定して載置可能となる。
【００８７】
便器９を組み立てる場合、図８（ａ）に示すように、左脚部４０および右脚部５０をそれぞれ略「Ｌ」字状に折り曲げ、これらの挿入孔１４１，１５１に開脚保持体１２２を挿入して係合させる。この係合状態では、開脚保持体１２２の二つの接触辺１６３，１６３が左壁体３ｂおよび共通壁体３ａにそれぞれ面接触し、且つ左脚部４０および右脚部５０の奥側の端面がそれぞれ左壁体３ｂおよび共通壁体３ａに面接触する。
【００８８】
次いで、図８（ｂ）に示すように、便座３６の各スライド溝１３２，１３２を左右の脚部４０，５０の各上端部１４２，１５２に案内させて、左右の脚部４０，５０と左右の抜止め部４２，５２との間に差し込むように挿入させる。この挿入動作の際、左右のストッパ１６０，１６１をそれぞれ内側に９０度折り曲げておく。
【００８９】
そして、図８（ｃ）に示すように、便座３６の挿入が完了した後で、左右のストッパ１６０，１６１を下側に戻す。これにより、左右のストッパ１６０，１６１の奥側の端面が便座３６の手前側の端面に接触して、便座３６の手前側への移動が規制される。
またこの状態では、便座３６の下面が左右の脚部４０，５０に支持され、且つ便座３６の二つの接触辺１３１，１３１が左壁体３ｂおよび共通壁体３ａにそれぞれ面接触する。
またこの状態では、便座３６の左右の接触辺１３１，１３１の全体が左右の抜止め部４２，５２に下側から接触または僅かに間隙を存して、便座３６の上方への移動が規制される。最終的に、排泄物処理袋１２４を開脚保持体１２２の上面にセットし、排泄物処理袋１２４を便座孔１２０に臨ませる。
【００９０】
このように、組み立てられた便器９では、便座３６の水平方向への移動が規制されているため、利用者は便座３６に安定して着座することができる。また、便座３６の上方への移動が左右の抜止め部４２，５２によって規制されているため、利用者の便座３６に座る位置によって便座３６が左右の脚部４０，５０から浮き上がるような便座３６の位置ずれや、便座３６から立ち上がる利用者の体の一部が引っ掛ることによる便座３６の位置ずれを抑制することができる。
【００９１】
また、組み立てられた便器９は、左壁体３ｂおよび共通壁体３ａの展開状態を個室空間２Ｌの奥側で且つ個室空間２Ｌの下側で保持することが可能となる。すなわち、本実施形態の便器９は、左壁体３ｂおよび共通壁体３ａの両方に全体として係合して、これらの展開状態を個室空間２Ｌの奥側且つ下側で保持する展開保持手段として機能する。
【００９２】
図９は、保持部４６、保持部６３、および補助板４４からなる第３の展開保持手段１７０の構成を示す説明図である。展開保持手段１７０の構成について、図２および図４をも参照して説明する。
【００９３】
第３の展開保持手段１７０は、個室空間２Ｌの略三角形の一つの頂点側に設けられており、その高さレベルは、第１の展開保持手段（棚８）と第２の展開保持手段（便器９）との間に設定されている。なお、上記したように、展開保持板６と前面壁体４とも展開保持手段として機能している。
【００９４】
前面壁体４の保持部６３は、前面壁体４の一部を方形状に穿設してなる開口部１７１と、開口部１７１の上半部に出入可能なブロック１７２と、で構成されている。ブロック１７２は、開口部１７１の上半部の縁部に回動可能に設けられており、開口部１７１の上半部に嵌合する嵌合状態と、開口部１７１から外れて前面壁体４の前面側に回動する非嵌合状態と、の間を移動する。
【００９５】
左壁体３ｂの保持部４６は、前面壁体４の保持部６３と同様に構成されており、左壁体３ｂの一部を方形状に穿設してなる開口部１８１と、開口部１８１の上半部に出入可能なブロック１８２と、で構成されている。ブロック１８２は、開口部１８１の上半部の縁部に回動可能に設けられており、開口部１８１の上半部に嵌合する嵌合状態と、開口部１８１から外れて左壁体３ｂの外側に（個室空間２Ｌの外側に）回動する非嵌合状態と、の間を移動する。
【００９６】
補助板４４は、略長方形状の板材からなる。補助板４４の上端部の中央には、つり革１９１をかけるための引掛け凹部１９２が形成されている。また、引掛け凹部１９２を挟んで左右対称となるように、補助板４４の下半部の左右には、各開口部１７１，１８１の縁部に上側から係合するための係合凹部１９３，１９３が形成されている。補助板４４は、全体として各開口部１７１，１８１の縦方向の長さと同じ長さを有し、各係合凹部１９３，１９３は、各開口部１７１，１８１の下半部の縦方向の長さと同じ長さを有している。
【００９７】
第３の展開保持手段１７０を組付ける場合、図９（ａ）に示すように、保持部６３のブロック１７２を前面壁体４の前面側に回動して、開口部１７１を完全に開放する。同様にして、左壁体３ｂの開口部１８１も完全に開放する。次いで、図９（ｂ）に示すように、補助板４４を開口部１７１に挿入し、つり革１９１を引掛け凹部１９２にかけた後、さらに補助板４４を開口部１８１に挿入する。
【００９８】
その後、図９（ｃ）に示すように、補助板４４の各係合凹部１９３，１９３を各開口部１７１，１８１の縁部に係合させる。これにより、補助板４４が左壁体３ｂと前面壁体４との間に梁状に架け渡される。
【００９９】
次いで、図９（ｄ）に示すように、各ブロック１７２，１８２を回動させて各開口部１７１，１８１に嵌合させる。これにより、図９（ｅ）および（ｆ）に示すように、各ブロック１７２，１８２の下面が補助板４４の上面に接触するため、補助板４４は開口部１７１，１８１から抜けることを阻止される。すなわち、補助板４４は、二つの保持部４６，６３に抜落ち状態で保持されることになる。
【０１００】
ここで、本実施形態の折畳み式建屋１の作用について、特に展開状態での全体の強度および安定性について簡単に説明する。上記したように、折畳み式建屋１は、共通壁体３ａで仕切られた二つの略三角形状の個室空間２Ｌ，２Ｒを有するものである。ここで略三角形状について着目するに、その一つの頂点の内側には、棚８および便器９が設けられている。このため、この頂点は固定されていることはもとより、この頂点を挟む略三角形の二辺（例えば共通壁体３ａおよび左壁体３ｂ）は、強固に固定されている。
【０１０１】
また、略三角形状の他の一つの頂点の内側には、補助板４４などの第３の展開保持手段１７０が設けられている。このため、この頂点は固定されていることはもとより、この頂点を含む略三角形の二辺（左壁体３ｂおよび前面壁体４）は、強固に固定されている。さらに、残りの一つの頂点の外側には、隣接する他方の個室空間（２Ｒ）内の棚８および便器９が設けられている。このため、この頂点についても、実質的に強固に固定された状態にある。
【０１０２】
このように、本実施形態の折畳み式建屋１によれば、一の個室空間２Ｌ（または２Ｒ）の三頂点を実質的に固定することができる。これにより、個室空間２Ｌ（または２Ｒ）の三頂点の強度が高まるため、展開状態の折畳み式建屋１の強度を高めることができると共に、その安定性を高めることができる。特に、個室空間２Ｌ（または２Ｒ）内に設けた棚８および便器９が、隣の個室空間２Ｒ（または２Ｌ）の略三角形の一頂点を実質的に固定する構造であるから、一方の個室空間２Ｒ（または２Ｌ）内の構造を有効に利用して、他の個室空間２Ｌ（または２Ｒ）の展開状態を強固に且つ安定に維持することができる。
【０１０３】
また、折畳み式建屋１における唯一の可動壁体となる扉体５は、隣の個室空間２Ｒ（または２Ｌ）で便器９等側がある共通壁体３ａの部分に設けられている。上述のように、この部分は便器９等によって強固に固定されている。このため、扉体５の開け閉めによる折畳み式建屋１全体への影響を最小限に抑制することができる。
【０１０４】
なお、本実施形態は、様々な変形例を適用できる。例えば、補助板４４などの第３の展開保持手段１７０を省略してもよいし、この態様を変更してもよい。また、棚８または便器９を省略してもよい。便器９を省略した場合には、別途、既製のトイレを個室空間２Ｌ，２Ｒ内に配置すれば、折畳み式建屋１は簡易トイレとして機能する。
【０１０５】
さらに、車椅子を必要とする人や、体の不自由な方や、お年寄りなどを考慮して、個室空間２Ｌ，２Ｒ内に手摺などを配置するようにしてもよい。また、屋外に折畳み式建屋１を設置する場合に、風の影響を考慮して、ロープを併用して折畳み式建屋１を安定に設置してもよい。
【０１０６】
＜第２実施形態＞
次に、図１０ないし図１３を参照して、第２実施形態に係る折畳み式建屋１について相違点を中心に説明する。第１実施形態との大きな相違点は、上方から見て略台形状の個室空間２Ｌ，２Ｒとしたことである。第１実施形態と共通する構成については、同一符号を付してその説明を適宜省略する。
【０１０７】
図１０は、折畳み式建屋１の展開状態を示す斜視図である。図１１は、左右両側の個室空間２Ｌ，２Ｒの棚８を取り外し、さらに右側の個室空間２Ｒの便座３６を取り外した状態を示す図である。図１２は、折畳み式建屋１の折畳み方向を説明する模式図であり、図１３は、折畳み式建屋１の折畳み状態を示す斜視図である。なお、図１０ないし図１２では、図１で示した屋根体７を省略している。
【０１０８】
本実施形態の折畳み式建屋１の壁体などを構成する素材は、上記同様にそれぞれが同じ厚さのダンプラが用いられている。折畳み式建屋１は、展開状態で二つの隣接する個室空間２Ｌ，２Ｒを構成する五枚の長方形の壁体３ａ，３ｂ，３ｃ，３ｄ，３ｅを有している。折畳み式建屋１は、図１０および図１１に示す展開状態から、図１２に示す移行状態を経て、図１３に示すように、各部が凹凸なく重なり合う全体として平板状の折畳み状態となる。
【０１０９】
折畳み状態では、一つの個室空間２Ｌ（または２Ｒ）の台形状の斜辺を構成する二つの壁体３ａと３ｄ（または３ａと３ｅ）の間に、上底側の壁体３ｂ（または３ｃ）を二つ折りで挟み、さらにこれら二つの壁体３ａと３ｄ（または３ａと３ｅ）の間に、下底側の前面壁体４、扉体５、および展開保持板６を挟んで重なり合うようになっている。また折畳み状態では、二つの個室空間２Ｌ，２Ｒにそれぞれ設けられる二つの屋根体７が、収納形態の最も外側に位置するようになっている（図１３参照）。
【０１１０】
なお、個室空間２Ｌ側の屋根体７は、壁体３ａから壁体３ｂにかけて水が流れるように且つ奥側から手前側に水が流れるように、所定の排水勾配（水切り）を有している。同様に、個室空間２Ｒ側の屋根体７は、壁体３ａから壁体３ｄにかけて水が流れるように且つ奥側から手前側に水が流れるように、所定の排水勾配（水切り）を有している。そしてこの排水機能を奏するべく、壁体３ａは、他の壁体３ｂ，３ｃ，３ｄ，３ｅよりも長さ（高さ）が大きく形成されている。なお、個室空間２Ｌ，２Ｒの数としては、特に限定されるものではなく、例えば、三以上の個室空間が横方向に隣接して設けられる折畳み式建屋１であってもよい。
【０１１１】
折畳み式建屋１は、二つの個室空間２Ｌ，２Ｒを画成する構造が全く同じで、且つ二つの個室空間２Ｌ，２Ｒの中に設置される構造も全く同じである。したがって、二つの個室空間２Ｌ，２Ｒは、中央の共通壁体３ａの中心部で点対称となる構成となっている。もっとも、個室空間２Ｌ，２Ｒの内部構造などを異ならせてもよい。
【０１１２】
各個室空間２Ｌ，２Ｒの奥側には、折畳み式の棚８と折畳み式の便器９とが設けられており、一方の個室空間２Ｌの棚８や便器９と、他方の個室空間２Ｒの棚８や便器９とは、点対称となるように対向している。これら棚８および便器９は、第一実施形態と構造が僅かに異なるものの、個室空間２Ｌ、２Ｒの展開状態を保持する展開保持手段として機能する点では第一実施形態と同様である。
【０１１３】
個室空間２Ｌ（または２Ｒ）の略台形状の三辺は、隣り合う三つの壁体３ａ，３ｂ，３ｄ（または３ａ，３ｃ，３ｅ）により構成され、下底側となる残りの一辺側には、前面壁体４および扉体５が位置している。略台形状の各頂点の角度は任意であるが、好ましくは、鋭角となる内角が７５度で、鈍角となる内角が１０５度である。
【０１１４】
前面壁体４は、個室空間２Ｌ（または２Ｒ）の一辺側（前面側）の左半部を覆い、扉体５は、個室空間２Ｌ（または２Ｒ）の前面側の右半部の出入り口部分２５Ｌ（または２５Ｒ）を開閉可能に設けられている。一の個室空間２Ｌの出入り口部分２５Ｌと他の個室空間２Ｒの出入り口部分２５Ｒとは、折畳み式建屋１において反対側に位置している。各出入り口部分２５Ｌ，２５Ｒは、車椅子が通過可能な７５ｃｍ以上に設定されることが好ましい。
【０１１５】
左側の個室空間２Ｌを画成する壁体としては、略台形状の斜辺を構成する共通壁体３ａと、略台形状のもう一方の斜辺を構成する斜辺壁体３ｄと、略台形状の下底よりも長さの短い上底を構成する背面壁体３ｂと、がある。また、右側の個室空間２Ｒを画成する壁体としては、共通壁体３ａと、略台形状のもう一方の斜辺を構成する斜辺壁体３ｅと、略台形状の下底よりも長さの短い上底を構成する背面壁体３ｃと、がある。
【０１１６】
ここで、斜辺壁体３ｄは本発明の第一斜辺壁体に相当し、斜辺壁体３ｅは本発明の第二斜辺壁体に相当している。また、背面壁体３ｂは本発明の第一壁体に相当し、背面壁体３ｃは本発明の第二壁体に相当している。以下では、左側の個室空間２Ｌについて説明し、右側の個室空間２Ｒについては、左側の個室空間２Ｌと同一となる部分については説明を適宜省略する。
【０１１７】
背面壁体３ｂは、その右端部２１１が共通壁体３ａの対辺の一方に回動可能に連結されていると共に、その左端部２１２が斜辺壁体３ｄの対辺の一方に回動可能に連結されている。背面壁体３ｂの左右方向の中間部には、切り込みによって形成された折返し部２１３が設けられており、背面壁体３ｂは、折返し部２１３を中心に個室空間２Ｌの内側に折り曲げることが可能となっている。
【０１１８】
背面壁体３ｂは、展開状態において平板状に展開される。一方、折返し部２１３を中心に二つ折りとなる折畳み状態の背面壁体３ｂは、その二つ折りされた部分の外面同士が略隙間無く重なり合うようになって、共通壁体３ａと斜辺壁体３ｄとの間に挟まれ且つこれらに重なり合う。
【０１１９】
斜辺壁体３ｄは、その一端部が背面壁体３ｂの左端部２１２に回動可能に連結され、且つその他端部が前面壁体４の一端部に回動可能に連結されている。前面壁体４は、折畳み状態では斜辺壁体３ｄの内面に重なり合う。一方、展開状態の前面壁体４は、斜辺壁体３ｄに対し約７５度の角度で個室空間２Ｌの左半部を前面側から覆い、斜辺壁体３ｄの展開状態を補強する。そして、前面壁体４の上部は、展開保持板６に連結具９２,９２を介して連結され、前面壁体４の下端部は、その表面側に折畳み可能で且つ展開されて地面に着座可能なフランジ部６２を有している。
【０１２０】
扉体５は、共通壁体３ａの一辺側、すなわち背面壁体３ｃが連結された共通壁体３ａの一辺側に回動可能に連結されている。扉体５は、折畳み状態で共通壁体３ａの内面に重なり合う。一方、展開状態の扉体５は、出入り口部分２５Ｌを開閉可能に構成され、手前側に回動させると出入り口部分２５Ｌを開放し、奥側に回動させると出入り口部分２５Ｌを前面壁体４と共に閉塞する。
【０１２１】
なお、扉体５には、上記実施形態のカーテン７１が設けられていない。また、図示省略したが、扉体５の内面には、上記実施形態と同様のロック機構７２が設けられている。また、共通壁体３ａと背面壁体３ｂとの連結部分や、背面壁体３ｂと斜辺壁体３ｄとの連結部分など、各種の壁体の回動部分に上記実施形態同様の壁連結体３０を用いてもよい。
【０１２２】
そして、棚８は、個室空間２Ｌの奥側で共通壁体３ａの上部および斜辺壁体３ｄの上部に接触して、背面壁体３ｂの展開状態および斜辺壁体３ｄの展開状態を保持する。同様に、便器９は、個室空間２Ｌの奥側で共通壁体３ａの下部および斜辺壁体３ｄの下部に接触して、背面壁体３ｂの展開状態および斜辺壁体３ｄの展開状態を保持する。
【０１２３】
以上のように、本実施形態の折畳み式建屋１によれば、第１実施形態に比べて有用となる点は、三角形状の個室空間２Ｌ，２Ｒに比べて、台形状の個室空間２Ｌ，２Ｒであるために、個室空間内のデッドスペースを少なくすることができることである。また、第１実施形態に比べて、展開状態での折畳み式建屋１の全体の強度および安定性が高まると共に、設置時の安定性も確保し易くなる。さらに、棚８や便器９についても、第１実施形態に比べて大きなサイズで構成することができるなど、その設計の自由度も高め得る。
【０１２４】
＜第３実施形態＞
次に、図１４を参照して、第３実施形態に係る折畳み式建屋１の便器９について相違点を中心に説明する。第２実施形態との相違点は、便器９の構成を第１実施形態と同様の構成（図８に示す構成）としたことであり、具体的には、便座３６の上方および手前側への移動を規制した構成を付加したことであり、他の点は第２実施形態と同様である。
【０１２５】
以下では、第２実施形態と同様に、左側の個室空間２Ｌについて説明し、右側の個室空間２Ｒに設ける便器９についての説明を省略する。また、便器９の構成については、第１実施形態と共通する部分については、第１実施形態の便器９に付した符号と同一の符号を付して、その詳細な説明を省力する。
【０１２６】
図１４に示すように、第１実施形態と同様に、便器９は、便座孔１２０を有する便座３６と、便座３６の下面を着脱可能に支持する左脚部４０および右脚部５０と、左脚部４０および右脚部５０に対する便座３６の上方への移動を規制する左抜止め部４２および右抜止め部５２と、左脚部４０および右脚部５０に亘って梁状に架け渡される開脚保持体１２２と、便座３６と開脚保持体１２２との間に主要部が位置する排泄物処理袋１２４と、を有している。
【０１２７】
便座３６の略台形の一対の斜辺は、共通壁体３ａおよび斜辺壁体３ｄにそれぞれ接触する二つの接触辺１３１，１３１となっている。また、便座３６の下面には、一対のスライド溝１３２，１３２が形成されている。一対のスライド溝１３２，１３２は、それぞれ、左脚部４０の上端部１４２および右脚部５０の上端部１５２に手前側から係脱可能に構成されている。
【０１２８】
左脚部４０は、斜辺壁体３ｄに折畳み可能に取り付けられており、折返し部１４０を挟んで段状に連なる上端部１４２および上端部１４３を有している。同様に、右脚部５０は、共通壁体３ａに折畳み可能に取り付けられており、折返し部１５０を挟んで段状に連なる上端部１５２および上端部１５３を有している。そして、左脚部４０および右脚部５０には、開脚保持体１２２用の挿入孔１４１，１５１がそれぞれ穿設されている。
【０１２９】
左抜止め部４２は、斜辺壁体３ｄの内面に固着されている。左抜止め部４２の先端の下部には、斜辺壁体３ｄに対して少なくとも９０度の範囲で回動可能なストッパ１６０が設けられている。同様に、右抜止め部５２は、共通壁体３ａの内面に固着されている。右抜止め部５２の先端の下部には、共通壁体３ａに対して少なくとも９０度の範囲で回動可能なストッパ１６１を有している。
【０１３０】
開脚保持体１２２の略台形の一対の斜辺は、共通壁体３ａおよび斜辺壁体３ｄにそれぞれ接触する二つの接触辺１６３，１６３となっている。また、開脚保持体１２２の略台形の上底側には、挿入孔１４１，１５１の縁部に係脱可能な一対の係合溝１６４，１６４が形成されている。
【０１３１】
便器９を組み立てる場合、図１４（ａ）に示すように、左脚部４０および右脚部５０をそれぞれ略「Ｌ」字状に折り曲げ、これらの挿入孔１４１，１５１から開脚保持体１２２を挿入して係合させる。この係合状態では、開脚保持体１２２の二つの接触辺１６３，１６３が斜辺壁体３ｄおよび共通壁体３ａにそれぞれ面接触し、左脚部４０および右脚部５０の開脚状態を保持すると共に、斜辺壁体３ｄおよび共通壁体３ａの展開状態を保持する。
【０１３２】
次いで、図１４（ｂ）に示すように、便座３６の各スライド溝１３２，１３２を左右の脚部４０，５０の各上端部１４２，１５２に手前側から案内させて、左右の脚部４０，５０と左右の抜止め部４２，５２との間に差し込むように挿入させる。この挿入動作の際、左右のストッパ１６０，１６１をそれぞれ内側に９０度折り曲げておく。
【０１３３】
そして、図１４（ｃ）に示すように、便座３６の挿入が完了した後で、左右のストッパ１６０，１６１を下側に戻す。この状態では、左右のストッパ１６０，１６１は、その奥側の端面が便座３６の手前側の端面に接触して、便座３６の手前側への移動を規制している。またこの状態では、便座３６の下面が左右の脚部４０，５０に支持される。そして、便座３６の二つの接触辺１３１，１３１が、斜辺体３ｄおよび共通壁体３ａにそれぞれ面接触し、斜辺壁体３ｄおよび共通壁体３ａの展開状態を保持する。
【０１３４】
またこの状態では、便座３６の左右の接触辺１３１，１３１の全体が左右の抜止め部４２，５２に下側から接触して、便座３６の上方への移動が規制されている。さらにこの状態では、便座３６の上底側の左右端部が、背面壁体３ｂの左端部２１２および右端部２１１に突き当たっている。組立ての最終段階では、排泄物処理袋１２４を便座孔１２０に臨ませた状態で開脚保持体１２２の上面にセットする。
【０１３５】
このように、組み立てられた便器９は、第１実施形態と同様に、便座３６の水平方向への移動および上方への移動が規制されているため、利用者は便座３６に安定して着座することができる。また、組み立てられた便器９は、斜辺壁体３ｄおよび共通壁体３ａの両方に全体として係合して、これらの展開状態を個室空間２Ｌの奥側且つ下側で保持する展開保持手段として機能する。
【０１３６】
＜第４実施形態＞
次に、図１５ないし図１７を参照して、第４実施形態に係る折畳み式建屋１について相違点を中心に説明する。第２実施形態および第３実施形態との相違点は、便器９を組み込み式でなくて既製の簡易トイレ２３０を設置するようにしたことと、上棚２３１および下棚２３２まわりのスライド構造を変更したことと、第３の展開時保持手段としての連結板２３３を設けたことである。
【０１３７】
図１５は、折畳み式建屋１の展開状態をその屋根を省略して示す斜視図である。図１６は、左右両側の個室空間２Ｌ，２Ｒから簡易トイレを取り外し、さらに左側の個室空間２Ｌから上棚２３１の棚板２５０を取り外した状態を示す平面図である。左右の個室空間２Ｌ，２Ｒの構造は同一とすることができる。以下では、上記実施形態と同様に、左側の個室空間２Ｌについて説明し、右側の個室空間２Ｒに設ける棚８等ついては説明を省略する。
【０１３８】
図１７（ｂ）に示すように、洋式の簡易トイレ２３０は、例えば左右前後にパイプ状または円柱状の四本の脚体２４１，２４２，２４３，２４４を有している。簡易トイレ２３０は、この四本の脚体２４１，２４２，２４３，２４４が中間部および上部で複数のパイプまたは円柱状の棒で連結されて組まれており、その正面中央部に便座を配し、その左右に手摺を配した構成となっている。
【０１３９】
図１５に示すように、上棚２３１および下棚２３２は、個室空間２Ｌにおいて上下に離間して設けられている。上棚２３１と下棚２３２とは、下棚２３２に簡易トイレ２３０用の二つの穴２６５，２６５を設けた点以外は、全く同一に構成されている。そこで以下では、下棚２３２についてのみ詳細に説明し、下棚２３２の構成要素と同一なる上棚２３１の構成要素については、下棚２３２の構成要素と同一の符号を付してその説明を省略する。
【０１４０】
図１６および図１７に示すように、下棚２３２は、展開状態において設置される棚板２５０と、棚板２５０を着脱可能に支持する六つの棚板支持部２５１，２５２，２５３，２５４，２５５，２５６と、で構成されている。
【０１４１】
棚板２５０は、個室空間２Ｌの台形状に対応して台形状の板材からなる。棚板２５０は、台形の斜辺となる一対の接触辺２６１，２６２と、台形の上底側に位置して背面壁体３ｄに接触する接触辺２６３と、を有している。また、棚板２５０には、左右に離間して二つの穴２６５，２６５が設けられており、この各穴２６５，２６５に簡易トイレ２３０の後側の二つの脚体２４３，２４４が挿通するようになっている。
【０１４２】
六つの棚板支持部２５１，２５２，２５３，２５４，２５５，２５６は、左右対称となるように設けられており、それぞれ棚板２５０を挟持することで水平に支持する。
【０１４３】
ストッパ２７２付きの棚板支持部２５１は、共通壁体３ａの内面に取り付けられたブロック状の部材であり、ストッパ２８２付きの棚板支持部２５２は、斜辺壁体３ｄの内面に取り付けられたブロック状の部材である。これらの棚板支持部２５１，２５２は、棚板２５０の台形の斜辺方向に延びるスリット２７１，２８１を、上下の中間部にそれぞれ有している。また、各ストッパ２７２，２８２は、各棚板支持部２５１，２５２の先端の下部に回動可能に設けられており、共通壁体３ａおよび斜辺壁体３ｄに対して少なくとも９０度の範囲で回動する。
【０１４４】
背面壁体３ｂの内面には、二つの棚板支持部２５３，２５４が折返し部２１３を挟んで左右に離間して設けられている。この二つの棚板支持部２５３，２５４は、ブロック状の部材であり、棚板２５０の台形の上辺に沿って延びるスリット２９１，２９２を、上下の中間部にそれぞれ有している。そして、残りの二つの棚板支持部２５５，２５６は、背面壁体３ｂの右端部２１１および左端部２１２の一部を、棚板２５０の台形の斜辺方向に沿って切り欠いたスリット２９３，２９４で形成されている。上記した六つのスリット２７１，２８１，２９１，２９２，２９３，２９４の高さは、棚板２５０の厚みと略同一となっている。
【０１４５】
下棚２３２を組み付ける場合、図１７（ａ）に示すように、先ず、左右のストッパ２７２，２８２をそれぞれ内側に９０度折り曲げておき、棚板２５０を手前側から二つの棚板支持部２５１，２５２に案内して、各接触辺２６１，２６２を各スリット２７１，２８１に水平にスライドさせる。そして、各接触辺２６１，２６２を各棚板支持部２５５，２５６のスリット２９３，２９４にもスライド挿入させ、さらに、上底側の接触片２６３を背面壁体３ｂ側の各棚板支持部２５３，２５４のスリット２９１，２９２にスライド挿入させる。その後、図１７（ｂ）に示すように、左右のストッパ２７２，２８２を下側に戻す。
【０１４６】
この状態となると、左右のストッパ２７２，２８２は、その奥側の端面が棚板２５０の下底側の端面に接触して、棚板２５０の手前側への移動（水平移動）を規制する。またこの状態では、棚板２５０の二つの接触辺２６１，２６２は、共通壁体３ａおよび斜辺壁体３ｄに面接触しつつ且つ四つの棚板支持部２５１，２５２，２５５，２５６に挟持され、もう一つの接触辺２６３は、背面壁体３ｂに面接触しつつ且つ二つの棚板支持部２５３，２５４に挟持される。
【０１４７】
これにより、棚板２５０は、下側から支持されて下方への抜落ち及び上方への移動を規制されるように、六つの棚板支持部２５１〜２５６に挟持される。そして、図１７（ｂ）および（ｃ）に示すように、簡易トイレ２３０の後側の各脚体２４３，２４４を下棚２３２の各穴２６５，２６５に挿通させて、地面に設置する。
【０１４８】
このようにして、個室空間２Ｌに設けられた下棚２３２は、共通壁体３ａ、斜辺壁体３ｄおよび背面壁体３ｂに亘って接触（係合）して、これらの展開状態を個室空間２Ｌの奥側且つ下側で保持する展開保持手段として機能する。特に、下棚２３２が背面壁体３ｂの左右方向に亘って接触するため、背面壁体３ｂの展開状態を好適に保持することができる。また、棚板２５０が６点で支持されるため、特に上棚２３１の棚板２５０については、比較的重量の大きいものでも適切に載置することができる。
【０１４９】
連結板２３３は、図１５および図１６に示すように、左側の個室空間２Ｌにおいて、斜辺壁体３ｄと前面壁体４とで構成される台形の一つの頂点側に設けられている。なお、右側の個室空間２Ｒにおいても、連結板２３３は、斜辺壁体３ｅと前面壁体４とで構成される台形の一つの頂点側に設けられている。以下では、個室空間２Ｌ側の連結板２３３について中心に説明する。
【０１５０】
連結板２３３は、略長方形状の板部材からなる。連結板２３３は、斜辺壁体３ｄと前面壁体４との間に位置する本体部３０１を有し、本体部３０１の一端部３０２が斜辺壁体３ｄの内面下部に固着され、本体部３０１の他端部３０３が前面壁体４の内面下部に固着されている。各端部３０２，３０３と各壁体３ｄ，４との固着は、テープや接着剤を用いてもよいし、ビスなどの留め具を用いてもよい。連結板２３３は、折畳み式建屋１の折畳み状態では組みつけられておらず、展開状態とした際に、所定位置にビスなどにより取り付けられる。
【０１５１】
連結板２３３は、第１実施形態の第３の展開保持手段１７０と同様に、前面壁体４と隣接する壁体（斜辺壁体３ｄまたは斜辺壁体３ｅ）を固定して、折畳み式建屋１の展開状態を保持する。これにより、個室空間２Ｌの略台形の四つの頂点が、実質的に強固に固定された状態となる。
【０１５２】
これを詳述するに、先ず、略台形の上底側の二つの頂点側については、上棚２３１および下棚２３２により固定される。そして、略台形の下底側の一つの頂点側については、隣室（個室空間２Ｒ）の上棚２３１および下棚２３２により実質的に固定され、もう一つの頂点側については、連結板２３３により固定される。したがって、展開状態の折畳み式建屋１の強度および安定性を全体として高めることができる。
【０１５３】
なお、連結板２３３は、個室空間２Ｌの下方に設ける場合だけでなく、上方や中間部などにも設けてもよく、その数は複数であってもよい。また、第２実施形態および第３実施形態の折畳み式建屋１についても、連結板２３３を設けてもよい。さらに、連結板２３３に代えて、例えば第１実施形態の展開保持手段１７０を本実施形態の折畳み式建屋１に適用してもよい。
【０１５４】
次に、図１８を参照して、展開状態の折畳み式建屋１の地面への安定した設置を補助するフランジ３２０について説明する。このフランジ３２０は、図１５および図１６に示すように、斜辺壁体３ｄおよび斜辺壁体３ｅの下部にそれぞれ着脱可能に設けられている。以下では、斜辺壁体３ｄ側のフランジ３２０を中心に説明し、斜辺壁体３ｅ側のフランジ３２０については同一の符号を付して説明を省略する。
【０１５５】
図１６および図１８に示すように、フランジ３２０は、全体として方形に形成された板状部材からなる。フランジ３２０は、斜辺壁体３ｄの外側に張り出すように設置される本体部３３１と、本体部３２１の一つの辺側に形成されて斜辺壁体３ｄの下部を挟持する挟持部３３２と、で構成されている。
【０１５６】
挟持部３３２は、斜辺壁体３ｄの外面に当接する外側挟持片３４１と、挟持片を挟んで前後に（斜辺壁体３ｄの斜辺方向の前後に）設けられ、斜辺壁体３ｄの内面に当接する一対の内側挟持片３４２，３４２と、で構成されている。外側挟持片３４１および一対の内側挟持片３４２，３４２は、本体部３２１に対して９０度の角度で回動可能に構成されている。斜辺壁体３の下端部の中間部には、フランジ３２０を取り付けるための凹部３５０が形成されている。
【０１５７】
フランジ３２０を斜辺壁体３ｄに取り付ける場合には、図１８（ａ）に示す扁平状態のフランジ３２０から、図１８（ｂ）にように、挟持部３３２のうち外側挟持片３４１のみを本体部３２１に対して垂直となるように９０度回動させる。そして、一対の内側挟持片３４２，３４２を個室空間２Ｌ内へと凹部３５０から挿入し、外側挟持片３４１を凹部３５０のまわりの斜辺壁体３ｄの外面に当接させる。
【０１５８】
その後、図１８（ｃ）に示すように、個室空間２Ｌ内において、一対の内側挟持片３４２，３４２を本体部３２１に対して垂直となるように９０度回動させる。これにより、斜辺壁体３ｄの下部が挟持部３２２により挟持されると共に、本体部３２０が地面に着座して、フランジ３２０の取り付けが完了する。そして必要に応じて、フランジ３２０の取付け後に、本体部３２１の上面に土嚢などの錘を載せたりしてもよい。
【０１５９】
なお、フランジ３２０を斜辺壁体３ｄに設ける箇所は一箇所に限らない。また、フランジ３２０を共通壁体３ａに設けてもよいし、第１実施形態〜第３実施形態の折畳み式建屋１にも適用してもよい。さらに、フランジ３２０に代えて、前面壁体４とフランジ６２との関係のように、斜辺壁体３ｄの下部に一体にフランジを設けてもよい。
【０１６０】
＜変形例＞
次に、図１９を参照して、本発明の折畳み式建屋１の変形例について簡単に説明する。ここでは、上記のように共通壁体として機能する壁体を「壁体３ａ」で表し、この対辺に回動可能に連結された壁体を「壁体３ｂ」、「壁体３ｃ」で表す。その他の壁体を「壁体３ｄ」、「壁体３ｅ」などと表示する。また、前面壁体および扉体についても、同様に「前面壁体４」および「扉体５」として表示する。折畳み式建屋１の各個室空間２Ｌ、２Ｒには、棚８や便器９などの展開保持手段が上記実施形態と同様に配設することができるが、ここでは省略している。
【０１６１】
図１９（ａ）に示すように、個室空間２Ｌ，２Ｒを正方形などの方形にしてもよい。
図１９（ｂ）に示すように、個室空間２Ｌ，２Ｒを台形状として、下底側（背面壁体３ｂ，３ｃ）よりも長さの短い上底側に、前面壁体４や扉体５を設けてもよい。
図１９（ｃ）に示すように、個室空間２Ｌ，２Ｒを略六角形などの五角形以上の多角形状としてもよい。
図１９（ｄ）に示すように、個室空間２Ｌ，２Ｒを台形状とし、共通壁体３ａを各個室空間２Ｌ，２Ｒの上底側としてもよい。すなわち、個室空間２Ｌ，２Ｒを台形状とする場合に、その台形状の斜辺を共通壁体３ａに設定しなくてもよい。
【０１６２】
＜第５実施形態＞
次に、図２０ないし２２を参照して、第５実施形態に係る折畳み式建屋１について相違点を中心に説明する。上記各実施形態との相違点は、前面壁体（４）と扉体（３ｄ）との連結構造、及び扉体（５）と壁体（３ａ）との連結構造を工夫したことである。なお、折畳み式建屋１の壁体などを構成する素材は、上記同様にそれぞれが同じ厚さのダンプラである。
【０１６３】
図２０に示す折畳み式建屋１は、図１９（ａ）に示す方形の折畳み式建屋の変形例である。この折畳み式建屋１は、隣接する略長方形の二つの個室空間２Ｌ，２Ｒを、五枚の長方形の壁体３ａ，３ｂ，３ｃ，３ｄ，３ｅで構成している。折畳み式建屋１は、上記同様に展開状態から全体として平板状の折畳み状態に変形可能に構成されている。そのために、壁体３ｂ及び３ｃは、それぞれ個室空間２Ｌ及び２Ｒの内側へと折り込み可能に構成されている。以下、個室空間２Ｌを中心に説明する。
【０１６４】
図２１は、壁体３ｄに連結する前の前面壁体４の展開図である。図２０及び図２１に示すように、前面壁体４は、連結部４０１、前面部４０２、展開保持部４０３、及び連結部４０４を一体的に有している。
【０１６５】
連結部４０１は、壁体３ｄとほぼ同じ高さ延在しており、壁体３ｄの端部内面に連結される。連結部４０１は、水平方向に切り込まれた複数のスリット４１１を有している。複数のスリット４１１は、連結部４０１の高さ方向において等間隔で形成されており、各スリット４１１は、連結部４０１の水平面内の全域を切り込むように形成されている。連結部４０１は複数のスリット４１１によって高さ方向に区画され、この区画された領域は接着領域４１２（図２１で斜線を付した領域）又は非接着領域４１３となっている。
【０１６６】
接着領域４１２と非接着領域４１３とは、交互に位置している。接着領域４１２には、両面テープなどが貼着される。非接着領域４１３には、リベットなどの固定部材が挿通される孔４１４が貫通形成されている。連結部４０１は、接着領域４１２の両面テープを介して壁体３ｄの内面に接着されると共に、非接着領域４１３の孔４１４に挿入した固定部材を介して壁体３ｄの内面に固定される。これにより、前面壁体４が連結部４０１を介して壁体３ｄに連結される。
【０１６７】
このように、連結部４０１にスリット４１１を形成しておくことで、接着後の前面壁体４と壁体３ｄとの間に生じ得る相対的な引張り力をスリット４１１で逃がすことができる。これにより、接着後の前面壁体４と壁体３ｄとのゆがみを抑制することができる。なお、スリット４１１は複数であることが好ましいが、一つであってもよい。また、スリット４１１を壁体３ｄに形成してもよい。
【０１６８】
前面部４０２は、連結部４０１と同じ高さを有している。前面部４０２は、展開状態において、連結部４０１との間の折れ線（境界線）を中心として、連結部４０１に対しほぼ直角に折り曲げられる。この展開状態では、前面部４０２は、個室空間２Ｌの前面側の一部を覆い、一部が扉体５に対面する。
【０１６９】
展開保持部４０３は、前面部４０２の上部及び下部に連なるように、上下に一対が形成されている。展開保持部４０３は、展開状態において、前面部４０２との間の折れ線（境界線）を中心として、前面部４０２の背面側へと折り曲げられる。展開保持部４０３は、前面壁体４の他の部位（連結部４０１、前面部４０２及び連結部４０４）と協同して、展開状態を保持するのに機能する。
【０１７０】
連結部４０４は、上下一対の展開保持部４０３に連なるように、上下に一対が形成されている。連結部４０４は、展開状態において、展開保持部４０３との間の折れ線（境界線）を中心として、壁体３ｄに沿うように折り曲げられる。上側及び下側の連結部４０４は、固定孔４１６に挿通されたリベットなどの固定部材を介して、壁体３ｄの内面上部及び内面下部に固定される。折畳み式建屋１の折畳み状態では、上下の連結部４０４は、固定孔４１６から固定部材を取り外され、壁体３ｄとの連結を解除される。
【０１７１】
図２２は、共通壁体３ａに連結する前の扉体５の展開図である。図２０及び図２２に示すように、扉体５は、連結部５０１（第二の連結部）と、扉本体５０２とを一体的に有している。扉体５では、連結部５０１が共通壁体３ａの対辺の一方に連結され、扉本体５０２が連結部５０１との境界線を基点として共通壁体３ａに対して回動する。
【０１７２】
連結部５０１は、細長い板状からなり、共通壁体３ａとほぼ同じ高さ延在している。連結部５０１は、共通壁体３ａの連結部３ａａに回動可能に連結される。連結部３ａａは、本特許請求の範囲に記載の「第一の連結部」に対応する部位であり、本実施形態では、連結部３ａａは、共通壁体３ａの対辺の一方側の端部内面に相当する。
【０１７３】
連結部５０１は、連結部４０１と同様に、水平方向に切り込まれた複数のスリット５１１を有している。複数のスリット５１１は、連結部５０１の高さ方向において等間隔で形成されており、各スリット５１１は、連結部５０１の水平面内の全域を切り込むように形成されている。連結部５０１は複数のスリット５１１によって高さ方向に区画され、この区画された領域は接着領域５１２（図２２で斜線を付した領域）又は非接着領域５１３となっている。
【０１７４】
接着領域５１２と非接着領域５１３とは、交互に位置している。接着領域５１２には、両面テープなどが貼着される。非接着領域５１３には、リベットなどの固定部材が挿通される孔５１４が貫通形成されている。連結部５０１は、接着領域５１２の両面テープを介して共通壁体３ａの連結部３ａａに接着されると共に、非接着領域５１３の孔５１４に挿入した固定部材を介して共通壁体３ａの連結部３ａａに固定される。これにより、扉体５が連結部５０１を介して共通壁体３ａの対辺の一方に連結される。
【０１７５】
このように、連結部５０１にスリット５１１を形成しておくことで、接着後の扉体５と共通壁体３ａとの間に生じ得る相対的な引張り力をスリット５１１で逃がすことができる。これにより、接着後の扉体５と共通壁体３ａとのゆがみを抑制することができる。なお、スリット５１１は１以上であればよいが、複数であることが好ましい。別の態様では、１以上のスリット５１１を連結部３ａａに形成してもよいし、連結部３ａａ及び連結部５０１の両方に形成してもよい。
【０１７６】
扉本体５０２は、戸尻側が連結部５０１に回動可能に一体的に連結され、戸先側が前面壁体４の前面部４０２に面するようになっている。扉本体５０２が連結部５０１との境界線を基点として回動することで、個室空間２Ｌの出入り口部分２５Ｌが開閉される。扉本体５０２は、全体的に連結部５０１と同じ高さを有している一方、下端部に凹部５２１を有している。凹部５２１は、上方に対して凹むように形成されており、扉本体５０２の下端中央部に位置している。
【０１７７】
扉本体５０２の下端部は、凹部５２１を挟むように両端部、すなわち戸尻側端部５２２及び戸先側端部５２３を有している。戸尻側端部５２２及び戸先側端部５２３は、凹部５２１から下方に突出するように形成されている。折畳み式建屋１を地面に設置した状態では、扉本体５０２の下端面は地面から離間する。具体的には、戸尻側端部５２２の下端面は、地面とのクリアランスがＨ１に設定され、戸先側端部５２３の下端面は、地面とのクリアランスがＨ２に設定されている。Ｈ１とＨ２とは異なっており、ここではＨ１はＨ２よりも大きく設定されている。
【０１７８】
このように、扉体５が凹部５２１を有しているので、扉体５の下端部が平坦である場合に比べて、扉体５の開閉を円滑に行うことができるようになる。また、戸尻側端部５２２及び戸先側端部５２３の下端面は地面とのクリアランスが異なるため、扉体５の開閉をより一層円滑に行い得る。なお、戸尻側端部５２２及び戸先側端部５２３の図２２における左右方向の長さは、同じであってもよいし、異なっていてもよい。また、第１実施形態と同様に、凹部５２１には、目隠し用のカーテン（７１）を取り付けてもよい。
【０１７９】
なお、本実施形態では長方形タイプの折畳み式建屋１を例に説明したが、もちろん上記実施形態で説明した三角形や台形タイプの折畳み式建屋１にも、本実施形態の連結構造（扉体５と共通壁体３ａとの連結構造や、前面壁体４と壁体３ｄとの連結構造）を適用することができることは言うまでもない。また、本実施形態の連結構造は、あらゆる壁体と壁体との間、例えば図１６に示す共通壁体３ａと壁体３ｂとの間にも適用できる。さらに、他の実施形態で説明した棚や便器などの各種構成を本実施形態に適用できる。
【０１８０】
＜第６実施形態＞
次に、図２３を参照して、第６実施形態に係る折畳み式建屋１について相違点を中心に説明する。第５実施形態との相違点は、個室空間２Ｌの出入り口部分２５Ｌに固定パーツ６００を設けたことである。
【０１８１】
固定パーツ６００は、共通壁体３ａと壁体３ｄとの間に位置している。固定パーツ６００は、本体部６０１と、左右一対の固定部６０２，６０２と、水平突出部６０３と、により一体的に構成されている。
【０１８２】
本体部６０１は、長方形に形成されている。本体部６０１は、出入り口部分２５Ｌに位置し、地面に設置される。一対の固定部６０２は、本体部６０１の左右側端から外方に突出しており、本体部６０１の上側に折り曲げ可能に構成されている。一対の固定部６０２は、本体部６０１に対して直角となるように上方に折り曲げられた状態で、固定孔６１０に挿通されるリベットなどの固定部材によって、共通壁体３ａ及び壁体３ｄの前部下部に固定される。なお、図２３は、折り曲げられてない一対の固定部６０２を示している。
【０１８３】
水平突出部６０３は、扉体５の戸尻側に位置し、本体部６０１と同様に地面に設置される。水平突出部６０３は、全体として矩形又は舌形状からなり、本体部６０１の前端右側から手前に水平に突出している。水平突出部６０３は、扉体５の回動の基点（連結部５０１と扉本体５０２との境界線）よりも、手前に突出している。水平突出部６０３の角部は、丸面取りされている。水平突出部６０３の左右方向の幅は、戸尻側下端部５２２のそれと同程度に設定されている。また、水平突出部６０３の上面は、戸尻側下端部５２２の下端面との間に僅かなクリアランスを設定されている。
【０１８４】
以上説明した本実施形態によれば、共通壁体３ａと壁体３ｄとの展開状態を固定パーツ６００によって適切に保持することができる。また、水平突出部６０３が扉体５の回動の基点よりも手前側に位置しているので、扉体５を開く際には、水平突出部６０３が地面により密着するようになる。一方、本体部６０１が扉体５の回動の基点よりも奥側に位置しているので、扉体５を閉じる際には、本体部６０１が地面により密着するようになる。このような構成により、本実施形態によれば、扉体５の開閉をより一層円滑に行うことができる。
【０１８５】
特に、水平突出部６０３と上記した扉体５の戸尻側端部５２２とがあることによって、扉体５が自重により戸先側に向かって垂れ下がることを抑制でき、ひいては折畳み式建屋１全体のゆがみを抑制できる。この作用効果を別の観点から検討すれば、扉本体５０２のサイズについて設計の自由度を高めることができると言える。したがって、本実施形態によれば、幅広の扉本体５０２を用いても、建屋１全体のゆがみを抑制でき、しかも出入り口部分２５Ｌ（開口部）の大きさを確保することができることになり、個室空間２Ｌを例えば車椅子でもアクセス可能なものとすることができる。
【図面の簡単な説明】
【０１８６】
【図１】第１実施形態に係る折畳み式建屋の展開状態の構成を示す斜視図である。
【図２】図１と同様の斜視図であり、屋根を省略した構成を示す図である。
【図３】第１実施形態に係る折畳み式建屋の折畳み状態の構成を示す斜視図である。
【図４】図２の平面図である。
【図５】第１実施形態に係る折畳み式建屋の個室空間の内部から見た図であり、（ａ）は左壁体側を見た場合の構成図であり、（ｂ）は右壁体側を見た場合の構成図である。
【図６】第１実施形態に係る扉体のロック機構を示す斜視図である。
【図７】第１実施形態に係る棚の取付け方法を示す斜視図である。
【図８】第１実施形態に係る便器の組立て方法を示す斜視図である。
【図９】第１実施形態に係る補助板の組付け方法を示す斜視図である。
【図１０】第２実施形態に係る折畳み式建屋の展開状態の構成を、屋根を省略して示す斜視図である。
【図１１】第２実施形態に係る折畳み式建屋の展開状態を示す平面図であり、右側の個室空間の便座を取り外した状態を示す図である。
【図１２】第２実施形態に係る折畳み式建屋の展開状態と折畳み状態との間の移行状態を平面的に示す図であり、一部を省略して模式的に示す図である。
【図１３】第２実施形態に係る折畳み式建屋の折畳み状態の構成を示す斜視図である。
【図１４】第３実施形態に係る折畳み式建屋の便器の組立て方法を示す斜視図である。
【図１５】第４実施形態に係る折畳み式建屋の展開状態の構成を、屋根を省略して示す斜視図である。
【図１６】第４実施形態に係る折畳み式建屋の展開状態の構成を示す平面図であり、左側の個室空間の棚を省略して示す図である。
【図１７】第４実施形態に係る棚および便器の組立て方法を示す斜視図である。
【図１８】第２〜４実施形態に係るフランジの取付け方法を示す斜視図である。
【図１９】他の変形例に係る折畳み式建屋の展開状態を概略的に示す平面図である。
【図２０】第５実施形態に係る折畳み式建屋の展開状態を示す断面図である。
【図２１】第５実施形態に係る前面壁体の展開図である。
【図２２】第５実施形態に係る扉体の展開図である。
【図２３】第６実施形態に係る折畳み式建屋を平面的に示す図であり、固定パーツ及び扉体を中心に示す図である。
【符号の説明】
【０１８７】
１：折畳み式建屋、  ２Ｌ，２Ｒ：個室空間、３ａ：共通壁体、３ｂ：左壁体（第一壁体）、３ｃ：右壁体（第二壁体）、４：前面壁体、５：扉体、６：展開保持板、７：屋根体、８：棚、９：便器、  ２５Ｌ，２５Ｒ：出入り口部分、３２：棚板、３４：棚板支持部、３６：便座、４０：左脚部４０、４２：左抜止め部、４４：補助板、４６：保持部、５０：右脚部、５２：右抜止め部、６２：フランジ部、６３：保持部、７１：カーテン、７２：ロック機構、１２０：便座孔、１２２：開脚保持体、１２４：排泄物処理袋、１３１：接触辺、１３２：スライド溝、  １６０，１６１：ストッパ、１７０：第３の展開保持手段、
３ｂ：背面壁体（第一壁体）、３ｃ：背面壁体（第二壁体）、３ｄ：斜辺壁体（第一社編壁体）、３ｅ：斜辺壁体（第二斜辺壁体）、２１３：折返し部、２３０：簡易トイレ、２３１：上棚、２３２：下棚、２３３：連結板、２５１〜２５６：棚板支持部、  ２７２，２８２：ストッパ、３２０：フランジ
【図１】
2006283551.tif 000003
【図２】
2006283551.tif 000004
【図３】
2006283551.tif 000005
【図４】
2006283551.tif 000006
【図５】
2006283551.tif 000007
【図６】
2006283551.tif 000008
【図７】
2006283551.tif 000009
【図８】
2006283551.tif 000010
【図９】
2006283551.tif 000011
【図１０】
2006283551.tif 000012
【図１１】
2006283551.tif 000013
【図１２】
2006283551.tif 000014
【図１３】
2006283551.tif 000015
【図１４】
2006283551.tif 000016
【図１５】
2006283551.tif 000017
【図１６】
2006283551.tif 000018
【図１７】
2006283551.tif 000019
【図１８】
2006283551.tif 000020
【図１９】
2006283551.tif 000021
【図２０】
2006283551.tif 000022
【図２１】
2006283551.tif 000023
【図２２】
2006283551.tif 000024
【図２３】
2006283551.tif 000025